【事件の表示】
　特願２００１−　　８１４３「高効率適応型ＤＣ／ＡＣコンバータ」拒絶査定不服審判事件〔平成１４年　８月１６日出願公開、特開２００２−２３３１５８〕について、次のとおり審決する。
【結　論】
　本件審判の請求は、成り立たない。
【理　由】
１．手続の経緯・本願発明
　本件出願は、平成１３年１月１６日の出願であって、その請求項６０に係る発明は、平成１４年９月３０日付け手続補正書で補正された明細書及び図面の記載からみて、その特許請求の範囲の請求項６０に記載された次の事項により特定されるとおりのものと認める。
「ＤＣ／ＡＣインバータ回路であって、
　全波ブリッジ構成でもって配置された複数のスイッチであって、前記全波ブリッジ構成の対向スイッチ対どうしが交互的に制御されるようになっている、複数のスイッチと；
　前記全波ブリッジ構成の対向スイッチ対のうちの一方のスイッチを駆動するための第１パルス信号を生成するパルス発生回路と；
　負荷に対して前記複数のスイッチを介して供給される電力を表すフィードバック信号を受領するとともに、前記第１パルス信号によって制御される前記スイッチとは異なる方のスイッチの導通状態を制御するための第２パルス信号を生成し得るよう構成されたフィードバック制御ループ回路と；
を具備してなり、
　前記第２パルス信号が、前記フィードバック信号によって決定されるような電力量を前記負荷に対して供給するようにして前記第１パルス信号に対してオーバーラップしている第１状態と、前記負荷に対して所定最小電力量を供給するようにして前記第１パルス信号に対して所定最小オーバーラップ量でもってオーバーラップしている第２状態と、を有していることを特徴とするインバータ回路。」（以下「本願発明」という。）
　
２．刊行物
（１）　原査定の拒絶の理由に引用された特開昭６３−１９０５５６号公報（以下「引用刊行物１」という。）には、「共振型ＤＣ−ＤＣコンバータ」と題して、図面と共に次の記載がある。
　・　「以上のようなインバータ２の動作位相の制御の場合は、第一のスイッチ１２ａと第四のスイッチ１２ｄが位相差αでずれてオン、オフすると共に、第二のスイッチ１２ｂと第三のスイッチ１２ｃが位相差αでずれてオン、オフするので、上記第一のスイッチ１２ａと第四のスイッチ１２ｄが同時にオンしている期間（Ｔｂ３〜Ｔｂ４）と、第二のスイッチ１２ｂと第三のスイッチ１２ｃが同時にオンしている期間（Ｔｂ６〜Ｔｂ７）はそれぞれのスイッチのオン期間よりαだけ短くなる。そして、この期間だけ直流電源１から負荷５へ電力が供給される。従って、インバータ２の出力電圧ｖｔの波形は、第４図（ｊ）に示すように、上記の断続した期間すなわち（１８０°−α）の期間において直流電源１の電圧を正負の波高値とする断続した方形波となる。このことから、第一のスイッチ１２ａと第四のスイッチ１２ｄがオンする位相差α、及び第二のスイッチ１２ｂと第三のスイッチ１２ｃがオンする位相差αを適宜変化させることにより、それぞれのスイッチ１２ａ〜１２ｄが同時にオンする期間を変化することができ、負荷５に供給する電力を制御することができる。すなわち、上記の位相差αを大きくしてゆけば出力電力を小さくすることができ、位相差α＝１８０°ではそれぞれのスイッチ１２ａ〜１２ｄが同時にオンする期間は無くなり、出力電力を零まで落すことができる。」（８頁左上欄７行ないし右上欄１２行）
　・　「第６図は第二の発明による共振型ＤＣ−ＤＣコンバータの実施例を示す回路図である。説明を簡単にするために、第１図に示す第一の発明と同様の構成であり同様の作用をなす部分は、同一の符号を付してその説明を省略する。この第二の発明は、負荷５としての例えばＸ線管に印加する管電圧を検出する分圧器１４を設けると共に、この分圧器１４からの検出信号及び予め設定した目標電圧信号（管電圧設定信号Ｓ１）を入力してその差を増幅すると共にこの差によってインバータ２のトランジスタＴｒ１〜Ｔｒ４の動作位相を決める誤差増幅位相決定回路１５を設け、かつこの誤差増幅位相決定回路１５からの出力信号に応じて上記トランジスタＴｒ１〜Ｔｒ４が動作する位相を制御する信号を、図示外のコントローラから入力するＸ線曝射信号Ｓ４によって出力する位相制御回路１０を設けたものである。なお、符号１６は、上記分圧器１４で検出した信号を誤差増幅位相決定回路１５で使用するために適した信号に変換する信号変換回路である。そして、これらの分圧器１４と誤差増幅位相決定回路１５と位相制御回路１０とにより、上記インバータ２の第一のスイッチとしてのトランジスタＴｒ１と第二のスイッチとしてのトランジスタＴｒ２は該インバータ２の動作周波数にて１８０°の位相差で交互にターンオンさせ、第三のスイッチとしてのトランジスタＴｒ３と第四のスイッチとしてのトランジスタＴｒ４は同じく１８０°の位相差で交互にターンオンさせると共に、第一のトランジスタＴｒ１がターンオンしてから第四のトランジスタＴｒ４がターンオンする位相差及び第二のトランジスタＴｒ２がターンオンしてから第三のトランジスタＴｒ３がターンオンする位相差を適宜変化させることによって、上記負荷５としてのＸ線管に供給する電力を帰還制御するようになっている。
　次に、このように構成された第二の発明の共振型ＤＣ−ＤＣコンバータの動作について説明する。まず、負荷５としてのＸ線管に供給する管電圧が決まると、この管電圧に対応した管電圧設定信号Ｓ１を目標電圧信号として図示外のコントローラから誤差増幅位相決定回路１５へ入力する。一方、この誤差増幅位相決定回路１５には、分圧器１４で検出し信号変換回路１６で変換された現在の管電圧に対応した管電圧検出信号Ｓ５が入力される。すると、この誤差増幅位相決定回路１５は、上記管電圧設定信号Ｓ１と管電圧検出信号Ｓ５との誤差を検出し、この誤差を比例−積分制御などにより処理し、上記誤差の大きさに対応してインバータ２の各トランジスタＴｒ１〜Ｔｒ４の動作の位相差αを決定する。すると、この位相差αに応じた位相信号Ｓ３が上記誤差増幅位相決定回路１５から出力され、位相制御回路１０へ入力する。このとき、Ｘ線曝射の開始前は、管電圧設定信号Ｓ１に対して管電圧検出信号Ｓ５は零であるので、最大電力が供給できるように上記位相差αは零とされる。
　次に、上記位相制御回路１０では、上記位相信号Ｓ３から各トランジスタＴｒ１〜Ｔｒ４がターンオン及びターンオフする制御信号を作ると共に、第一のスイッチとしてのトランジスタＴｒ１と第四のスイッチとしてのトランジスタＴｒ４がターンオンする位相差α、及び第二のスイッチとしてのトランジスタＴｒ２と第三のスイッチとしてのトランジスタＴｒ３がターンオンする位相差αを制御する制御信号を作成する。そして、上記位相制御回路１０に図示外のコントローラからＸ線曝射信号Ｓ４が入力することにより、該位相制御回路１０は、上記作成した制御信号をそれぞれの駆動回路１１ａ〜１１ｄへ送出する。これにより、各駆動回路１１ａ〜１１ｄは、上記位相制御回路１０からの制御信号に従ってインバータ２の各トランジスタＴｒ１〜Ｔｒ４を駆動する。
　このようにして上記各トランジスタＴｒ１〜Ｔｒ４が動作を開始すると、第３図あるいは第４図に示すような共振電流ｉｔが変圧器３に流れ、負荷５としてのＸ線管には管電圧が印加し始め、管電流が流れる。そして、上記Ｘ線管の管電圧が設定した値に近づくと、前記管電圧設定信号Ｓ１と管電圧検出信号Ｓ５との誤差が小さくなるので、上記誤差増幅位相決定回路１５は、位相差αを大きくするように動作し、直流電源１からの電力の供給を少なくする。Ｘ線管の管電圧が設定した値とほぼ等しくなると、上記設定した管電圧及び管電流による電力に等しい電力が直流電源１から供給できる位相でインバータ２は動作する。」（９頁左上欄３行ないし１０頁左上欄５行）
　・　第１図には、インバータ２は全波ブリッジ構成で配置されたＴｒ１（第一のスイッチ）ないしＴｒ４（第四のスイッチ）からなる点が示されている。
　・　第３、４図には、第一のスイッチと第二のスイッチとが１８０°の位相差で交互にオンするパルス信号、及び、第二のスイッチと第四のスイッチとが１８０°の位相差で交互にオンするパルス信号が示されており、また、第三のスイッチと第四のスイッチのパルス信号は、位相をαずらすことにより、第一のスイッチと第四のスイッチ並びに第二のスイッチと第三のスイッチとが同時にオンしている期間を制御する点、が示されている。
　
　この記載事項及び図示内容を総合すると、引用刊行物１には次の発明（以下「引用発明」という。）が記載されている。
「インバータ２と位相制御回路１０と誤差増幅位相決定回路１５とを有する共振型ＤＣ−ＤＣコンバータであって、
　前記インバータ２は全波ブリッジ構成で配置された第一ないし第四のスイッチＴｒ１〜Ｔｒ４であって、前記全波ブリッジ構成の第一及び第二スイッチＴｒ１，Ｔｒ２と対向する第三及び第四スイッチＴｒ３，Ｔｒ４とが交互にオンされる、第一ないし第四のスイッチＴｒ１〜Ｔｒ４と、
　管電圧検出信号Ｓ５と管電圧設定信号Ｓ１を入力し、その誤差の大きさに対応してインバータ２の各スイッチの動作の位相差αを決定する誤差増幅位相決定回路１５と、
　第一スイッチＴｒ１と第二スイッチＴｒ２とが１８０°の位相差で交互にオンするパルス信号を生成し、また、第三のスイッチＴｒ３と第四のスイッチＴｒ４とが１８０°の位相差で交互にオンするパルス信号を生成し、該パルス信号は、前記誤差増幅位相決定回路１５で決定された位相差αに応じた位相信号により、第一のスイッチＴｒ１と第四のスイッチＴｒ４並びに第二のスイッチＴｒ２と第三のスイッチＴｒ３とが同時にオンしている期間を制御する位相制御回路１０とからなる共振型ＤＣ−ＤＣコンバータ。」
　
（２）　同じく、原査定の拒絶の理由に引用された特開２０００−１８４７２７号公報（以下「引用刊行物２」という。）には、「電源回路」と題して、図面と共に次の記載がある。
　・　「【００４８】遮断部４００は、負荷電流Ｉｏを入力信号とする過小電流検出回路４０１、該過小電流検出回路４０１の出力信号Ｖｍｉｎ及び過電圧保護回路３１０の出力電圧Ｖｐ２に基づいて遅延信号Ｖａｄを出力する遅延回路４０２、遅延信号Ｖａｄに基づいて出力信号Ｖｏｆｆを出力する遮断回路４０３を備えて構成されている。過小電流検出回路４０１は、負荷電流（Ｉｏ）検出値を整流する整流回路４０４、該整流回路４０４の出力電圧と基準電圧Ｖｓを比較するコンパレータ４０５を備えて構成されている。
【００４９】以上の構成において、負荷３０２からの負荷電流Ｉｏは、過小電流検出回路４０１に入力される。過小電流検出回路４０１は、負荷電流Ｉｏを電圧値に変換した値を整流回路４０４で整流して得た整流出力電圧と基準電圧Ｖｓとを比較器４０５で比較する。整流回路４０４からの整流出力電圧が基準電圧Ｖｓを越えるとき、比較器４０５は高レベルの出力信号を発生する。
【００５０】遅延回路４０２は、過小電流検出回路４０１から低レベルの電圧が入力されたときに動作し、所定の遅延信号Ｖａｄを遮断回路４０３へ出力する。また、遅延回路４０２には、過電圧保護回路３１０から出力電圧Ｖｐ２が入力される。この出力電圧Ｖｐ２は、圧電トランス３０１の出力電圧が所定値よりも大きいときに過電圧保護回路３１０から出力される。遅延回路４０２は出力電圧Ｖｐ２によって制御され、２種類の遅延信号を出力する。すなわち、出力電圧Ｖｐ２が高レベル信号であるときには、遮断回路４０３が遮断動作を開始させるまでに長い時間が経過するような遅延信号Ｖａｄを出力し、また、出力電圧Ｖｐ２が低レベル信号であるときには、遮断回路４０３が遮断動作を開始させるまでの時間が短くなるような遅延信号を出力する。
【００５１】遮断回路４０３は、遅延回路４０２から或る時間以上継続して遅延信号Ｖａｄが入力され続けると、圧電トランス３０１の駆動を停止する信号を出力する回路である。遅延回路４０２から出力される遅延信号Ｖａｄの発生時間は、出力電圧Ｖｐ２が高レベルで遅延回路４０２に入力されている間は長く、出力電圧Ｖｐ２が低レベルで遅延回路４０２に入力されている間は短くなる。この長い時間と短い時間の具体的数値については後述する。遮断回路４０３の目的は、電源を構成する回路内部に異常が発生した場合や電源の電力供給先である負荷に異常が発生した場合に、電源の回路破壊防止や高電圧が継続して出力されるのを防止することにある。」
　・　「【００７２】例えば、本発明者による設計の図６の構成による圧電トランスインバータにおいて、ノートパソコン用１０．４インチＬＣＤのバックライトを点灯させる場合、・・・」
　
３．対比
（１）本願発明と引用発明とを対比すると、以下の事項が明らかである。
　（ア）　引用発明の「共振型ＤＣ−ＤＣコンバータ」の一部である「インバータ２と位相制御回路１０と誤差増幅位相決定回路１５」は、その作用・機能からみて、本願発明の「ＤＣ／ＡＣインバータ回路」あるいは「インバータ回路」に相当するといえる。
　（イ）　引用発明の「全波ブリッジ構成で配置された第一ないし第四のスイッチＴｒ１〜Ｔｒ４であって、前記全波ブリッジ構成の第一及び第二スイッチＴｒ１，Ｔｒ２と対向する第三及び第四スイッチＴｒ３，Ｔｒ４とが交互にオンされる、第一ないし第四のスイッチＴｒ１〜Ｔｒ４」は、本願発明の「全波ブリッジ構成でもって配置された複数のスイッチであって、前記全波ブリッジ構成の対向スイッチ対どうしが交互的に制御されるようになっている、複数のスイッチ」に相当する。
　（ウ）　引用発明の位相制御回路の「第一スイッチＴｒ１と第二スイッチＴｒ２とが１８０°の位相差で交互にオンするパルス信号を生成」する部分は、本願発明の「全波ブリッジ構成の対向スイッチ対のうちの一方のスイッチを駆動するための第１パルス信号を生成するパルス発生回路」に相当する。
　（エ）　引用発明の「管電圧検出信号Ｓ５と管電圧設定信号Ｓ１を入力し、その誤差の大きさに対応してインバータ２の各スイッチの動作の位相差αを決定する誤差増幅位相決定回路１５と、」位相制御回路の「第三のスイッチＴｒ３と第四のスイッチＴｒ４とが１８０°の位相差で交互にオンするパルス信号を生成して」いる部分は、本願発明の「負荷に対して前記複数のスイッチを介して供給される電力を表すフィードバック信号を受領するとともに、前記第１パルス信号によって制御される前記スイッチとは異なる方のスイッチの導通状態を制御するための第２パルス信号を生成し得るよう構成されたフィードバック制御ループ回路」に相当するといえる。
　（オ）　引用発明の位相制御回路の「（第三のスイッチＴｒ３と第四のスイッチＴｒ４とが１８０°の位相差で交互にオンする）パルス信号は、誤差増幅位相決定回路１５で決定された位相差αに応じた位相信号により、第一のスイッチＴｒ１と第四のスイッチＴｒ４並びに第二のスイッチＴｒ２と第三のスイッチＴｒ３とが同時にオンしている期間を制御する」状態は、本願発明の「第２パルス信号が、フィードバック信号によって決定されるような電力量を負荷に対して供給するようにして第１パルス信号に対してオーバーラップしている第１状態」に相当する。
　
　すると、本願発明と引用発明との一致点及び相違点は次のとおりとなる。
　
（２）　一致点
「ＤＣ／ＡＣインバータ回路であって、
　全波ブリッジ構成でもって配置された複数のスイッチであって、前記全波ブリッジ構成の対向スイッチ対どうしが交互的に制御されるようになっている、複数のスイッチと；
　前記全波ブリッジ構成の対向スイッチ対のうちの一方のスイッチを駆動するための第１パルス信号を生成するパルス発生回路と；
　負荷に対して前記複数のスイッチを介して供給される電力を表すフィードバック信号を受領するとともに、前記第１パルス信号によって制御される前記スイッチとは異なる方のスイッチの導通状態を制御するための第２パルス信号を生成し得るよう構成されたフィードバック制御ループ回路と；
を具備してなり、
　前記第２パルス信号が、前記フィードバック信号によって決定されるような電力量を前記負荷に対して供給するようにして前記第１パルス信号に対してオーバーラップしている第１状態を有しているインバータ回路。」
　
（３）　相違点
　インバータ回路に関し、本願発明のものは第１状態「と、負荷に対して所定最小電力量を供給するようにして第１パルス信号に対して所定最小オーバーラップ量でもってオーバーラップしている第２状態と」を有するのに対し、引用発明のものは、かかる第２状態を有しない点。
　
４．　判断
　相違点について検討する。
　引用刊行物２には、インバータ装置において、負荷の異常を検知した場合、インバータの状態を変更（停止）して、異常状態を回避する技術が開示されている。
　ここで、例えば、特開昭６１−２９６６９７号公報（４頁左下欄６行ないし右下欄１２行）、特開平１１−１２１１８６号公報（【０００４】）に示されるように、負荷の異常時にインバータの出力を強制的に最小値（あるいは低出力状態）とすることは、出願前周知の技術である。
　そして上記技術は、いずれも引用発明と同様、インバータに関するものである。
　すると、引用発明において、引用刊行物２に開示された技術に基づき、通常のフィードバック制御中に、異常状態が生じた場合、それを回避するような状態にすることは、当業者であれば容易になし得た範囲内のことであって、その際に、上記周知の技術を踏まえ、インバータを停止させるか、あるいは、その出力を最小値とするかは、当業者であれば適宜なし得た選択事項にすぎない。
　
　そして、本願発明の全体構成により奏される効果も、引用刊行物１及び２に記載された発明並びに周知の技術から当業者であれば予測し得る範囲内のものである。
　
　したがって、本願発明は、引用刊行物１及び２に記載された発明並びに周知の技術に基づいて、当業者が容易に発明をすることができたものである。
　
５．むすび
　以上のとおりであるから、本願発明については、特許法２９条２項により特許を受けることができない。
　よって、結論のとおり審決する。